(57)【要約】【課題】インテリア性よく施工でき、しかも優れた防音効果が得られ、さらに施工性がよい吸音パネル及びその製造方法を提供する。【解決手段】矩形状に枠組みした枠体１内に吸音材２を収納する。裏面に複数の裏溝５が並列に穿設した複数枚の中板３を裏溝５の長手方向に並ぶように枠体１の表面側に配置すると共に中板３を同じ厚さの細長い中板補助材４を隣り合う中板３間に中板３の全長に亙るように配置して中板３と中板補助材４とを枠体１に装着する。複数枚の中板３及び中板補助材４の表面側に化粧板６を装着する。裏溝５と直交する複数本の模様溝７を中板補助材４が位置する部分も含めて化粧板６の表面から裏溝５に至る深さまで穿設する。【選択図】        図１
2004176372.tif 000002
【特許請求の範囲】
【請求項１】
矩形状に枠組みされた枠体内に吸音材が収納され、複数枚の中板が枠体の表面側に並べて配置されると共に中板と同じ厚さの細長い中板補助材が隣り合う中板間に中板の全長に亙るように配置されて中板と中板補助材とが枠体に装着され、中板の裏面に中板補助材の長手方向と直交する方向に長い複数本の裏溝が並列に穿設され、複数枚の中板及び中板補助材の表面側に化粧板が装着され、裏溝と直交する複数本の模様溝が中板補助材が位置する部分も含めて化粧板の表面から裏溝に至る深さまで穿設されたことを特徴とする吸音パネル。
【請求項２】
中板補助材が中板と異なる色に着色されたことを特徴とする請求項１記載の吸音パネル。
【請求項３】
矩形状に枠組みした枠体内に吸音材を収納し、裏面に複数の裏溝を並列に穿設した複数枚の中板を裏溝の長手方向に並ぶように枠体の表面側に配置すると共に中板を同じ厚さの細長い中板補助材を隣り合う中板間に中板の全長に亙るように配置して中板と中板補助材とを枠体に装着し、複数枚の中板及び中板補助材の表面側に化粧板を装着し、裏溝と直交する複数本の模様溝を中板補助材が位置する部分も含めて化粧板の表面から裏溝に至る深さまで穿設することを特徴とする吸音パネルの製造方法。
【請求項４】
中板と異なる色に着色した中板補助材を用いることを特徴とする請求項３記載の吸音パネルの製造方法。
【発明の詳細な説明】
【０００１】
【発明の属する技術分野】
本発明は、吸音が必要な壁面等に貼ることで壁面等に吸音性を持たせるのに用いられる吸音パネル及びその製造方法に関し、詳しくは吸音性を持たせながらデザインも重視して寝室のベッド頭の壁面、リビングのＴＶ設置箇所の壁面等のアクセントパネルとして利用することができる吸音パネル及びその製造方法に関するものである。
【０００２】
【従来の技術】
一般に居室等の部屋の壁面や天井面に貼って吸音性を持たせる場合、平板状の板に多数の吸音用穴を穿孔した有穴ボードや、凹凸を有する凹凸板の凹部や凸部に吸音用の穴を多数穿孔した有穴ボード（例えば、特許文献１参照）が用いられていた。
【０００３】
【特許文献１】
特開平５−５１９８１号公報
【０００４】
【発明が解決しようとする課題】
近年、高気密高断熱住宅が多くなり、また床はフローリング、壁や天井は石膏ボードにクロス貼りの仕様が多く、居室は耳障りな反響過多傾向になり、このような弊害をなくしたいという要望がある。
【０００５】
居室の壁面や天井に吸音建材とを貼って吸音性を持たせる場合、居室にあった仕上げにしたいが、仕上げ材と一体となった吸音建材がないのが現状である。このような建材があったとしても上記の従来の技術に記載した有穴ボード程度のものであり、このような有穴ボードで仕上げした場合、インテリア性に劣るという問題がある。また有穴ボードのみでは吸音効果が殆どないためにグラスウール等の吸音材料を先に貼り、その上に有穴ボードを貼るという施工が必要となり、施工手間がかかるという問題があり、また壁仕上げ厚みが大きく、居住空間が小さくなるという問題がある。
【０００６】
本発明は上記の点に鑑みてなされたものであり、インテリア性よく施工でき、しかも優れた防音効果が得られ、さらに施工性がよい吸音パネル及びその製造方法を提供することを課題とするものである。
【０００７】
【課題を解決するための手段】
上記課題を解決するための本発明の請求項１の吸音パネルＡは、矩形状に枠組みされた枠体１内に吸音材２が収納され、複数枚の中板３が枠体１の表面側に並べて配置されると共に中板３と同じ厚さの細長い中板補助材４が隣り合う中板３間に中板３の全長に亙るように配置されて中板３と中板補助材４とが枠体１に装着され、中板３の裏面に中板補助材４の長手方向と直交する方向に長い複数本の裏溝５が並列に穿設され、複数枚の中板３及び中板補助材４の表面側に化粧板６が装着され、裏溝５と直交する複数本の模様溝７が中板補助材４が位置する部分も含めて化粧板６の表面から裏溝５に至る深さまで穿設されたことを特徴とする。
枠体１、吸音材２、中板３、中板補助材４、化粧板６が一体に形成された吸音パネルＡであるためにこの吸音パネルＡを壁面や天井に貼るだけで施工できて施工が容易にできる。また模様溝７と裏溝５とが連通しているため模様溝７から裏溝５を介して吸音材２に吸音されて優れた吸音効果が得られる。また表面が化粧板６で模様溝７が形成されているために外観がよくてインテリア性をよく施工できる。さらに中板５と対応する模様溝７の底には中板３と裏溝５が露出し、中板補助材４と対応する模様溝７の底には全長に亙って中板補助材４が露出し、模様溝７の外観に変化ができて一層インテリア性をよくできる。
【０００８】
また本発明の請求項２の吸音パネルＡは、請求項１において、中板補助材４が中板３と異なる色に着色されたことを特徴とすることも好ましい。中板補助材４対応する模様溝７の底の色と中板３に対応する模様溝７の底の色とを異ならせて一層外観に変化を与えることができ、寝室のベッド頭の壁面、リビングのＴＶ設置箇所の壁面のアクセントパネルとして利用することができる。
【０００９】
また本発明の請求項３の吸音パネルの製造方法は、矩形状に枠組みした枠体１内に吸音材２を収納し、裏面に複数の裏溝５を並列に穿設した複数枚の中板３を裏溝５の長手方向に並ぶように枠体１の表面側に配置すると共に中板３を同じ厚さの細長い中板補助材４を隣り合う中板３間に中板３の全長に亙るように配置して中板３と中板補助材４とを枠体１に装着し、複数枚の中板３及び中板補助材４の表面側に化粧板６を装着し、裏溝５と直交する複数本の模様溝７を中板補助材４が位置する部分も含めて化粧板６の表面から裏溝５に至る深さまで穿設することを特徴とする。上記のように製造することにより、請求項１のような性能のよい吸音パネルＡを容易に製造できる。
【００１０】
また本発明の請求項４の吸音パネルの製造方法は、請求項３において、中板３と異なる色に着色した中板補助材４を用いることを特徴とする。上記のように製造することにより、請求項２のような性能のよい吸音パネルＡを容易に製造できる。
【００１１】
【発明の実施の形態】
図１、図２に示すように吸音パネルＡは枠体１、吸音材２、中板３、中板補助材４、化粧板６で主体が構成されこれらの組み立てて形成されている。枠体１は上下一対の横枠１ａと左右一対の縦枠１ｂとを矩形状に枠組みし、上下一対の横枠１ａ間に複数本（本例の場合、３本）の仕切り枠材１ｃを上下に等間隔に架設してある。
【００１２】
吸音材２は枠体１内の空所８に収まる大きさの矩形状に形成されており、複数の空所８に夫々吸音材２を装填してある。かかる吸音材２は本例の場合、インシュレーションボードと称される軟質繊維板（密度０．３５ｇ／ｃｍ３未満）にて形成されている。このような軟質繊維板にて形成すると、吸音性以外に吸湿性もある。
【００１３】
枠体１の表面側には複数枚の中板３が上下方向に並べて貼られるのであるが、この中板３の裏面側には上下方向に亙る複数本の裏溝５を左右方向に並列に穿設してある。中板補助材４は中板３の厚さと同じで細長い板であり、上下に隣り合う中板３間、最上部の中板３の上端部の上方、及び最下部の中板３の下端部の下方に水平に架設されており、さらに片側の上下方向に亙るように架設されている。このように枠体１の表面側に中板３や中板補助材４を配置して枠体１に中板３や中板補助材４を一体に装着してある。かかる中板補助材４は図１の例では単なる木質材であるが、図２の例では中板３と異なる色に着色してある（図面では点々を付して表示してある）。中板補助材４を着色するとき内部までその色に着色してある。
【００１４】
このように中板３や中板補助材４を取り付けた状態で中板３や中板補助材４の表面側には全面に亙るように１枚の化粧板６を貼り付けて装着してある。かかる化粧板６は少なくとも表面に化粧を施してある。この化粧板６の表面には図３に示すように裏溝５と直交する方向である水平方向に複数本の模様溝７を並列に穿設してある。模様溝７を穿設するとき中板３の裏溝５に貫通する深さまで穿設してある。なお、本例では吸音材２を枠体１に装填した状態で模様溝７を穿設しているが、吸音材２を装填しない状態で模様溝７を穿設し、模様溝７を穿設した後に吸音材２を装填してもよい。
【００１５】
このように模様溝７を穿設するが、中板３に対応する位置で設けた模様溝７ａでは模様溝７ａと裏溝５とが連通すると共に裏溝５と連通しない部分では中板３が露出し、中板３間に対応する位置に設けた模様溝７ｂでは模様溝７ｂの全長に亙って中板補助材４が露出する。このため模様溝７ａと模様溝７ｂとは異なる外観となって外観に変化が出る。殊に、中板補助材４に着色してある場合、他の部分と色調が異なり模様溝７ｂが目立つ外観となる。また模様溝７ａより模様溝７ｂの方が幅を広くしてあることが好ましい。例えば、模様溝７ａの幅を２ｍｍにしてあると、模様溝７ｂの幅を３ｍｍにしてある。
【００１６】
上記のように吸音パネルＡが形成されるが、吸音パネルＡの両側には実加工を施し、図４や図５（ａ）に示すように吸音パネルＡの一側には上下方向に亙るように雌実９を穿設すると共に吸音パネルＡの他側には上下方向に亙るように雄実１０を形成してある。雄実１０の部分では中板補助材４が露出して模様溝７ｂと同じ外観となる。殊に中板補助材４が着色してある場合、他の部分と色調が異なり目立つ外観となる。また吸音パネルＡの上端及び下端では化粧板６を及び中板補助材４の表面側を全長に亙って穿設して図４や図６に示すように切り欠き部１１を全長に亙って形成してある。この切り欠き部１１の部分でも中板補助材４が露出して模様溝７ｂや雄実１０と同じ外観となる。このときも中板補助材４が着色してある場合、他の部分と色調が異なり目立つ外観となる。
【００１７】
上記のような吸音パネルＡは寝室のベッド頭の壁面、リビングのＴＶ設置箇所の壁面等のアクセントパネルとして利用できるが、例えば一例として図７に示すようにリビング１２に設置して使用される。この例ではリビング１２のＴＶ設置箇所１３や収納キャビネット設置箇所１４の近傍の壁面に沿って吸音パネルＡを並べて設置してある。このとき、隣り合う吸音パネルＡの間では一方の吸音パネルＡの雌実９に他方の吸音パネルＡの雄実１０を嵌合することで実結合にて接続される。
【００１８】
このように吸音パネルＡは設置されるが、この吸音パネルＡを設置した部分の四周に沿って額縁材１５が図８に示すように装着され、額縁材１５の押さえ縁１５ａで周縁を押さえてある。吸音パネルＡの上端と下端では押さえ縁１５ａが切り欠き部１１に隙間Ｓを介して嵌合しており、吸音パネルＡの端部の雄実１０の部分では押さえ縁１５ａが隙間Ｓを介して雄実１０を押さえている。吸音パネルＡの端部の雌実９の部分では中板補助材４と同じ材料の雇い実１６を雌実１０に嵌合してあり、この部分では押さえ縁１５ａが隙間Ｓを介して雇い実１６を押さえている。この雇い実１６は中板補助材４が着色してある場合、中板補助材４と同じように着色してある。このように額縁材１５を取り付けると図９に示すように周囲が外観よく仕舞われ、また周囲に額縁材１５の押さえ縁１５ａとの間の隙間Ｓの底に中板補助材４が露出した外観となり、中板補助材４が着色してある場合、目立った外観となる。
【００１９】
上記のように吸音パネルＡが設置されることにより、壁面の外観にアクセントがあるように外観よく仕上げられる。また室内の音は模様溝７から裏溝５を介して吸音されて効果的に吸音される。また吸音材２に調湿機能があると室内の調湿もすることができる。
【００２０】
【発明の効果】
本発明の請求項１の発明は、矩形状に枠組みされた枠体内に吸音材が収納され、複数枚の中板が枠体の表面側に並べて配置されると共に中板と同じ厚さの細長い中板補助材が隣り合う中板間に中板の全長に亙るように配置されて中板と中板補助材とが枠体に装着され、中板の裏面に中板補助材の長手方向と直交する方向に長い複数本の裏溝が並列に穿設され、複数枚の中板及び中板補助材の表面側に化粧板が装着され、裏溝と直交する複数本の模様溝が中板補助材が位置する部分も含めて化粧板の表面から裏溝に至る深さまで穿設されたものであって、枠体、吸音材、中板、中板補助材、化粧板が一体に形成された吸音パネルであるためにこの吸音パネルを壁面や天井に貼るだけで施工できて施工が容易にできるものであり、しかも模様溝と裏溝とが連通しているため模様溝から裏溝を介して吸音材に吸音されて優れた吸音効果が得られるものであり、さらに表面が化粧板で模様溝が形成されているために外観がよくてインテリア性をよく施工できるものであり、さらに中板と対応する模様溝の底には中板と裏溝が露出し、中板補助材と対応する模様溝の底には全長に亙って中板補助材が露出し、模様溝の外観に変化ができて一層インテリア性をよくできるものである。
【００２１】
また本発明の請求項２の発明は、請求項１において、中板補助材が中板と異なる色に着色されたので、中板補助材と対応する模様溝の底の色と中板に対応する模様溝の底の色とを異ならせて一層外観に変化を与えることができ、寝室のベッド頭の壁面、リビングのＴＶ設置箇所の壁面等のアクセントパネルとして利用することができるものである。
【００２２】
また本発明の請求項３の発明は、矩形状に枠組みした枠体内に吸音材を収納し、裏面に複数の裏溝を並列に穿設した複数枚の中板を裏溝の長手方向に並ぶように枠体の表面側に配置すると共に中板を同じ厚さの細長い中板補助材を隣り合う中板間に中板の全長に亙るように配置して中板と中板補助材とを枠体に装着し、複数枚の中板及び中板補助材の表面側に化粧板を装着し、裏溝と直交する複数本の模様溝を中板補助材が位置する部分も含めて化粧板の表面から裏溝に至る深さまで穿設するので、請求項１のような性能のよい吸音パネルを容易に製造できるものである。
【００２３】
また本発明の請求項４の発明は、請求項３において、中板と異なる色に着色した中板補助材を用いるので、請求項２のような性能のよい吸音パネルを容易に製造できるものである。
【図面の簡単な説明】
【図１】本発明の実施の形態の一例の吸音パネルの分解斜視図である。
【図２】同上の他の例の吸音パネルの分解斜視図である。
【図３】（ａ）は同上の模様溝を穿設した状態の一部切欠斜視図、（ｂ）は（ａ）のＸ部を拡大せる斜視図、（ｃ）は（ａ）のＹ部の切欠しない状態の拡大斜視図である。
【図４】同上の吸音パネルを組み立てた状態を示し、（ａ）は正面図、（ｂ）は底面から見た断面図、（ｃ）は側面から見た断面図である。
【図５】（ａ）は同上の雌実や雄実を設けた状態の断面図、（ｂ）は雌実と雄実とを嵌合した状態の断面図である。
【図６】同上の切り欠き部を設けた状態の断面図である。
【図７】同上のリビングの壁面に吸音パネルを設置した状態の斜視図である。
【図８】同上の額縁材を取り付けた状態を示し、（ａ）は平面から見た断面図、（ｂ）は側面から見た断面図である。
【図９】同上の複数枚の吸音パネルを設置した状態で、（ａ）は正面図、（ｂ）は側面図である。
【符号の説明】
Ａ  吸音パネル
１  枠体
２  吸音材
３  中板
４  中板補助材
５  裏溝
６  化粧板
７  模様溝
【図１】
2004176372.tif 000003
【図２】
2004176372.tif 000004
【図３】
2004176372.tif 000005
【図４】
2004176372.tif 000006
【図５】
2004176372.tif 000007
【図６】
2004176372.tif 000008
【図７】
2004176372.tif 000009
【図８】
2004176372.tif 000010
【図９】
2004176372.tif 000011